(57)【要約】【課題】生前に授かった戒名札板の所持携帯に適し、又位牌の組み立てに適した構造の位牌を提供する。【解決手段】戒名札板１を透視可能な開閉蓋付のカバーケース１０に収納し、他方台座１６の上面に差込口１８を形成し、上記カバーケース１０の下端を上記差込口１８に差し込んで該カバーケース１０を介して戒名札板１を台座１６に立て付けし、上記差込口１８から上記戒名札板１を収納したカバーケース１０を抜去可能にした位牌を形成する。【選択図】          図２
2005143666.tif 000002
【特許請求の範囲】
【請求項１】
戒名札板を透視可能な開閉蓋付のカバーケースに収納し、他方台座の上面に差込口を形成し、上記カバーケースの下端を上記差込口に差し込んで該カバーケースを介して戒名札板を台座に立て付けし、上記差込口から上記戒名札板を収納したカバーケースを抜去可能にしたことを特徴とする位牌。
【請求項２】
上記台座に納骨用抽斗を設けたことを特徴とする請求項１記載の位牌。
【発明の詳細な説明】
【技術分野】
【０００１】
この発明は戒名札板を台座にカバーケースを以って抜き差し可能にした、納骨を兼ねる位牌に関する。
【背景技術】
【０００２】
従来より位牌は戒名板の表側板面に故人の戒名を表示し、この戒名板の下端に台座を組み付け据置きするようにしている。
【０００３】
近年では個人個人が生前に高額の戒名料を支払って死後戒名を授かっておき、死後に死後戒名と共に没年月日や享年等を記入した位牌を作りお寺等に預け、永代供養と管理をお寺に依頼することが行なわれており、特許文献１、２はこの趣旨に添い上記台座に納骨用抽斗を設け、位牌を骨壺として兼用する提案がなされている。
【特許文献１】特開平１０−３２８０１５
【特許文献２】特開平１１−１０４００８
【発明の開示】
【発明が解決しようとする課題】
【０００４】
本発明は、上記位牌と同様、適度な大きさの札板に戒名を付した戒名札板を生前に授かり、これを所持又は携行し、又台座に差し込んで位牌を構成する場合に至便な構造とした位牌を提供するものであり、併せてお寺に預け供養を依頼する目的に適合するように構成したものである。
【課題を解決するための手段】
【０００５】
本発明は戒名札板を透視可能なカバーケースに収納し、他方台座の上面に差込口を形成し、上記カバーケースの下端を上記差込口に差し込んで該カバーケースを介して戒名札板を台座に立て付けし、上記差込口から上記戒名札板を収納したカバーケースを抜去可能にした位牌を提供するものである。
【０００６】
上記台座には納骨用抽斗を設け、位牌を骨壺として兼用する。
【発明の効果】
【０００７】
近年、少子化・高齢化社会の進行により、高齢者が家族から離れて施設で生活するケースが増加する傾向にあり、高齢者が生前にお寺から戒名を授かる希望が増加している。
【０００８】
本発明に係わる位牌はこれら高齢者の要望に応え、生前に戒名を付した戒名札板を授かり、この戒名札板を透視可能なカバーケースに収納して保存乃至携行し、又台座にカバーケースを差し込んで位牌を構成できる。
【０００９】
上記カバーケースは戒名札板を適切に保護し、カバーケース越しに戒名を視認し供養が行える。又戒名札板のみを開閉蓋を開いてカバーケースから取り出し所持携帯を可能にする。
【００１０】
又上記台座に納骨用抽斗を設けることにより、位牌を骨壺を兼ねて仏前に祭ることができ、位牌をお寺に預け永代供養をお願いする目的に適合する。
【００１１】
又当初より高価な位牌を購入せずとも、カバーケースに収納した戒名札板を入手すれば足り、高齢者に対する経済的負担を軽減できる。
【発明を実施するための最良の形態】
【００１２】
以下この発明を実施するための最良の形態を図１乃至図５に基づき説明する。
【００１３】
図１、図２等に示すように、位牌を構成する平板な戒名札板１はその一方の板面２が生前祈願銘３を表示した生前祈願銘表示面４を形成しており、他方の板面５が死後の戒名６を表示した死後戒名表示面７を形成している。
【００１４】
上記生前祈願銘３は高齢者の生前における健康祈願、長寿祈願、安全祈願等、高齢者の生前の精神的支柱となる仏語、標語等を表す祈願銘である。
【００１５】
上記戒名札板１は合成樹脂板にて形成し、上記生前祈願銘３又は戒名６を付する。又は戒名札板１全体をステンレス板等の金属板にて形成し、図４Ａ，Ｂ，Ｃに示すように、該戒名札板１の表側板面２（生前祈願銘表示面４）と裏側板面５（死後戒名表示面７）に、エッチングによって凸文字又は凹文字から成る上記生前祈願銘３と同死後戒名６を夫々形成し、更に戒名札板１周縁部の表側飾り額縁８と裏側飾り額縁９に凸模様又は凹模様をエッチングによって形成する。
【００１６】
上記ステンレス板に代えアルミニウム板、真鍮板、銅板を用い上記エッチングを施すことができる。
【００１７】
図３，図４に示すように、上記戒名札板１を金属板又は合成樹脂板の何れかで形成する各例示において、生前祈願銘３又は戒名６を表す凸文字又は凹文字の表面、又は表側飾り額縁８と裏側飾り額縁９の凸模様又は凹模様の表面には既知の転写法等を用いる等して金色層等の着色層２２を層着する。
【００１８】
図５に示すように、上記戒名札板１を合成樹脂製の透視可能なカバーケース１０に収納する。カバーケース１０は薄形のケース本体１１と同ケース本体１１の一端にヒンジ部１２を介して開閉される開閉蓋１３から成る。該開閉蓋１３は上記生前祈願銘表示面４又は死後戒名表示面７と対向する開閉蓋１３にて形成し、開閉蓋１３の側端縁に係止部２４を設け、該係止部２４をケース本体１１の側端縁に設けた被係止部２５に抵抗係合して開閉蓋１３の閉合を保持し、該抵抗係合を解除することにより開放可能とする。
【００１９】
上記開閉蓋１３を開放してケース本体１１内に戒名札板１を受け入れると共に、開閉蓋１３を閉合してカバーケース１０内に戒名札板１を収納する。又開閉蓋１３を開放して戒名札板１を取り出し可能とする。
【００２０】
図５に示すように、上記ケース本体１１の下部には支持台１４を連設し、該支持台１４にてケース本体１１に収納した戒名札板１の下面を支持する。
【００２１】
上記戒名札板１を収納したカバーケース１０を台座１６に抜き差し可に立て付けして仏壇等に据置きできるようにする。
【００２２】
具体例として、カバーケース１０の下端、即ち支持台１４直下の同ケース下端又は支持台１４を含む同ケース下端に差込部１７を設け、他方図２に示すように、上記台座１６に上面で開口する差込口１８を設ける。
【００２３】
上記差込口１８に上記カバーケース１０の下端の差込部１７を差し込んでカバーケース１０を台座１６に抜き差し可に立て付け、よって該カバーケース１０を介して戒名札板１を台座１６に抜き差し可に立て付ける。
【００２４】
上記差込口１８は後記する抽斗収容腔２０に達するようにこれと連通して設け、カバーケース１０の下端側面にストッパーを設ける等して、差込部１７の差し込み深さを設定する。又は差込口１８を有底構造にして同底壁にケース１０の下端面を支持する。
【００２５】
図１に示すように、上記台座１６内に遺骨収納用の抽斗１９を収容する前面又は背面で開口する抽斗収容腔２０を設け、上記抽斗１９に遺骨を収納した小容器２１を収め、該抽斗１９を台座１６の上記抽斗収容腔２０内に出し入れ可に入れ子にする。
【００２６】
上記抽斗１９の前側板には摘み２３を取り付け、該摘み２３を摘持して抽斗１９を上記収容腔２０内へ出し入れ可能にする。
【図面の簡単な説明】
【００２７】
【図１】本発明の位牌を示す斜視図。
【図２】上記位牌の分解斜視図。
【図３】（Ａ）は戒名札板を収納したカバーケースを台座に抜き差し可に挿入した状態を示す断面図、（Ｂ）は同挿入前の状態を示す断面図。
【図４】上記戒名札板の正面図、Ｂは上記戒名札板の横断面図、Ｃは上記戒名札板の縦断面図。
【図５】上記戒名札板を収納するカバーケースを開放状態を以って示す斜視図。
【符号の説明】
【００２８】
１…戒名札板、２…表側板面、３…生前祈願銘、４…生前祈願銘表示面、５…裏側板面、６…戒名、７…死後戒名表示面、８…表側飾り額縁、９…裏側飾り額縁、１０…カバーケース、１１…ケース本体、１２…ヒンジ部、１３…開閉蓋、１４…支持台、１６…台座、１７…差込部、１８…差込口、１９…抽斗、２０…抽斗収容腔、２１…納骨容器、２２…着色層、２３…摘み、２４…開閉蓋の係止部、２５…開閉蓋の被係止部。
【図１】
2005143666.tif 000003
【図２】
2005143666.tif 000004
【図３】
2005143666.tif 000005
【図４】
2005143666.tif 000006
【図５】
2005143666.tif 000007